(57)【要約】      （修正有）【課題】発光管を効率よく冷却できる光源装置及びプロジェクターを提供する。【解決手段】光源装置５は、発光管５１及び収容体６を備え、発光管の周方向に沿うダクト部７は、第１送出部７３１及び流路下流側に位置する第２送出部７３２を有し、冷却気体を第１及び第２送出部に導く第１導風部７３と、第３送出部７４１及び流路下流側に位置する第４送出部７４２を有し、冷却気体を第３及び第４送出部に導く第２導風部７４と、導入口７１から導入された冷却気体を第１及び第２導風部のいずれかに流通させる第１弁Ｖ１と、第１及び第２送出部の間に位置する第２弁Ｖ２と、第２弁による第１導風部の閉塞時に第１送出部を開放し、第１導風部の開放時に第１送出部を閉塞する第３弁Ｖ３と、第３及び第４送出部の間に配置される第４弁Ｖ４と、第４弁による第２導風部の閉塞時に第３送出部を開放し、第２導風部の開放時に第３送出部を閉塞する第５弁Ｖ５とを有する。【選択図】図９
2017187621.tif 000002
【特許請求の範囲】
【請求項１】
冷却気体を送出する冷却装置を備えたプロジェクターに組み込んで使用される光源装置であって、
光を出射する発光管と、
前記発光管を収容する収容体と、を備え、
前記収容体は、前記発光管の中心軸を中心とする周方向に沿って配置されるダクト部を有し、
前記ダクト部は、
前記ダクト部内に冷却気体を導入する導入口と、
第１送出部、及び、前記第１送出部より前記冷却気体の流路下流側に位置する第２送出部を有し、前記導入口から導入された前記冷却気体を前記第１送出部及び前記第２送出部に導く第１導風部と、
第３送出部、及び、前記第３送出部より前記冷却気体の流路下流側に位置する第４送出部を有し、前記導入口から導入された前記冷却気体を前記第３送出部及び前記第４送出部に導く第２導風部と、
前記導入口を介して前記ダクト部内に導入された前記冷却気体を、前記第１導風部及び前記第２導風部のいずれかに流通させる第１弁と、
前記第１導風部において前記第１送出部及び前記第２送出部の間に配置され、前記第１導風部を開閉する第２弁と、
前記第２弁によって前記第１導風部が閉塞される場合に、前記第１送出部を開放し、前記第２弁によって前記第１導風部が開放される場合に、前記第１送出部を閉塞する第３弁と、
前記第２導風部において前記第３送出部及び前記第４送出部の間に配置され、前記第２導風部を開閉する第４弁と、
前記第４弁によって前記第２導風部が閉塞される場合に、前記第３送出部を開放し、前記第４弁によって前記第２導風部が開放される場合に、前記第３送出部を閉塞する第５弁と、を有することを特徴とする光源装置。
【請求項２】
請求項１に記載の光源装置において、
前記中心軸にそれぞれ直交し、かつ、互いに交差する２方向を第１方向及び第２方向とした場合、
前記第１送出部は、前記発光管に対して前記第１方向側に位置し、
前記第２送出部は、前記発光管に対して前記第２方向側に位置し、
前記第３送出部は、前記発光管に対して前記第２方向とは反対方向側に位置し、
前記第４送出部は、前記発光管に対して前記第１方向とは反対方向側に位置することを特徴とする光源装置。
【請求項３】
請求項１又は請求項２に記載の光源装置において、
前記発光管は、発光物質及び電極が内部に封入された発光部を有し、
前記第１送出部、前記第２送出部、前記第３送出部及び前記第４送出部は、流通された前記冷却気体を、前記発光部に向けて送出することを特徴とする光源装置。
【請求項４】
請求項１から請求項３のいずれか一項に記載の光源装置において、
前記第２弁及び前記第４弁は、自重によって回動する遮蔽板であり、
前記ダクト部は、
前記第１導風部を開放する際に前記第２弁が配置される第１凹部と、
前記第２導風部を開放する際に前記第４弁が配置される第２凹部と、を有することを特徴とする光源装置。
【請求項５】
請求項１から請求項４のいずれか一項に記載の光源装置において、
前記第１送出部は、前記冷却気体が通過する第１開口部を有し、
前記第３送出部は、前記冷却気体が通過する第２開口部を有し、
前記第３弁は、前記第１開口部に位置し、
前記第５弁は、前記第２開口部に位置することを特徴とする光源装置。
【請求項６】
請求項１から請求項５のいずれか一項に記載の光源装置と、
前記光源装置から出射された光を変調する光変調装置と、
前記光変調装置により変調された光を投射する投射光学装置と、
前記光源装置に冷却気体を送出する冷却装置と、を備えることを特徴とするプロジェクター。
【請求項７】
請求項６に記載のプロジェクターにおいて、
外装を構成する外装筐体を備え、
当該プロジェクターは、
前記投射光学装置による光の投射方向が水平方向に沿い、前記外装筐体の底面部が鉛直方向における下向きとなる第１姿勢と、
前記投射光学装置による光の投射方向が水平方向に沿い、前記外装筐体の底面部が鉛直方向における上向きとなる第２姿勢と、
前記投射光学装置による光の投射方向が鉛直方向上向きとなる第３姿勢と、
前記投射光学装置による光の投射方向が鉛直方向下向きとなる第４姿勢と、のそれぞれの姿勢で設置可能に構成され、
前記第１送出部、前記第２送出部、前記第３送出部及び前記第４送出部は、それぞれ、前記第１姿勢、前記第２姿勢、前記第３姿勢及び前記第４姿勢のいずれかにて前記発光管に対して鉛直方向における上側に位置することを特徴とするプロジェクター。
【発明の詳細な説明】
【技術分野】
【０００１】
本発明は、光源装置及びプロジェクターに関する。
【背景技術】
【０００２】
従来、発光管を有する光源装置と、当該光源装置から出射された光を変調して画像情報に応じた画像を形成する光変調装置と、形成された画像をスクリーン等の被投射面上に拡大投射する投射光学装置と、を備えたプロジェクターが知られている。このようなプロジェクターに適用される光源装置において、発光管は、当該発光管の使用に適した温度で点灯させないと寿命が短くなることから、適切に冷却する必要がある。特に、発光管においては、発光物質が封入された発光部における上部（鉛直方向上側の部分）が最も高温となるため、当該上部を効率よく冷却する必要がある。
【０００３】
ここで、プロジェクターは、設置台の上に載置される姿勢である正置き姿勢、当該正置き姿勢とは上下を逆にして天井等に固定される逆置き姿勢、画像を上向きに投射する上向き投射姿勢、及び、画像を下向きに投射する下向き投射姿勢等の姿勢を取り得る。
これに対し、内部に取り込まれた冷却気体の流路をプロジェクターの姿勢に応じて変更し、当該冷却気体を、発光管（光源ランプ）の発光部上部に流通させる光源装置が知られている（例えば、特許文献１参照）。
【０００４】
この特許文献１に記載の光源装置は、発光管と、反射傘と、光源ファンと、反射傘及び光源ファンを繋ぐ導風部材と、これらを収容する筐体とを備えている。これらのうち、導風部材の円周方向には、直交する４方向にそれぞれ配置された４つの開口部が形成されている。また、導風部材は、光源ファンからの風を２つの風路のいずれかに切り替える第１の弁と、切り替えられた一方の風路上に配置された第２の弁と、他方の風路上に配置された第３の弁と、を有する。第１の弁は、重力により導風部材内を移動可能に構成され、第２の弁及び第３の弁は、それぞれ支点軸の両側に遮蔽板が配置され、当該支点軸より一方側に重心を偏らせた構成を有する。
このような光源装置では、プロジェクターの姿勢に応じて、それぞれ重力によって各弁が移動及び回動し、これにより、各姿勢において発光管に対して鉛直方向上側に位置する開口部に風が導かれ、当該風が発光部上部（管球上部）に送出される。
【先行技術文献】
【特許文献】
【０００５】
【特許文献１】特開２０１０−７８９７３号公報
【発明の概要】
【発明が解決しようとする課題】
【０００６】
しかしながら、上記特許文献１に記載の光源装置では、第２の弁及び第３の弁は、重力によって一方に回動して、第１の弁によって開放された風路を遮蔽することにより、当該弁近傍に位置する開口部に風を導く機能を有する他、他方に回動して、当該開口部を閉塞することにより、風路の終端に位置する他の開口部に風を導く機能を有する。このため、各弁近傍に位置する開口部に風を導く場合には、当該各弁の一方の遮蔽板に風が当たって回動して、風路の一部を開放してしまうおそれがある。このような場合、第１の弁によって切り替えられた風路において、一部の風が第２の弁又は第３の弁より奥側に流通してしまい、目的の開口部から発光部上部に送出される風量が少なくなるという問題がある。
特に、投入電力量が大きく、発熱量が大きい発光管が採用されている場合には、当該発光管に導かれる風量を多くする必要があるが、このような場合には、風圧によって第２の弁又は第３の弁が回動しやすくなり、上記問題が顕著となる。
【０００７】
本発明は、上記課題の少なくとも一部を解決することを目的としたものであり、発光管を効率よく冷却できる光源装置及びプロジェクターを提供することを目的の１つとする。
【課題を解決するための手段】
【０００８】
本発明の第１態様に係る光源装置は、冷却気体を送出する冷却装置を備えたプロジェクターに組み込んで使用される光源装置であって、光を出射する発光管と、前記発光管を収容する収容体と、を備え、前記収容体は、前記発光管の中心軸を中心とする周方向に沿って配置されるダクト部を有し、前記ダクト部は、前記ダクト部内に冷却気体を導入する導入口と、第１送出部、及び、前記第１送出部より前記冷却気体の流路下流側に位置する第２送出部を有し、前記導入口から導入された前記冷却気体を前記第１送出部及び前記第２送出部に導く第１導風部と、第３送出部、及び、前記第３送出部より前記冷却気体の流路下流側に位置する第４送出部を有し、前記導入口から導入された前記冷却気体を前記第３送出部及び前記第４送出部に導く第２導風部と、前記導入口を介して前記ダクト部内に導入された前記冷却気体を、前記第１導風部及び前記第２導風部のいずれかに流通させる第１弁と、前記第１導風部において前記第１送出部及び前記第２送出部の間に配置され、前記第１導風部を開閉する第２弁と、前記第２弁によって前記第１導風部が閉塞される場合に、前記第１送出部を開放し、前記第２弁によって前記第１導風部が開放される場合に、前記第１送出部を閉塞する第３弁と、前記第２導風部において前記第３送出部及び前記第４送出部の間に配置され、前記第２導風部を開閉する第４弁と、前記第４弁によって前記第２導風部が閉塞される場合に、前記第３送出部を開放し、前記第４弁によって前記第２導風部が開放される場合に、前記第３送出部を閉塞する第５弁と、を有することを特徴とする。
【０００９】
上記第１態様によれば、第１送出部を開閉する第３弁、及び、第３送出部を開閉する第５弁は、第１導風部を開閉する第２弁、及び、第２導風部を開閉する第４弁とは異なる弁である。このことから、上記特許文献１に記載の第２の弁及び第３の弁のように、第１送出部及び第１導風部のそれぞれの開閉を１つの弁が行い、第３送出部及び第２導風部のそれぞれの開閉を１つの弁が行う場合とは異なり、第１送出部及び第１導風部のそれぞれの開閉、並びに、第２導風部及び第３送出部のそれぞれの開閉を確実に行うことができる。このため、第１導風部及び第２導風部を流通する冷却気体の風圧によって、これら導風部を閉塞する第２弁及び第４弁が動いて、これら導風部を部分的に開放してしまうことを抑制できる他、第１送出部及び第３送出部が閉塞される場合にこれら送出部が部分的に開放されてしまうことを抑制できる。従って、発光管に対して鉛直方向上側に位置する送出部に確実に冷却気体を導くことができる他、導入口から導入された冷却気体の損失を抑制できる。そして、これにより、当該送出部を介して冷却気体を発光管における鉛直方向上部に送出しやすくすることができるので、光源装置を効率よく冷却できる。
【００１０】
上記第１態様では、前記中心軸にそれぞれ直交し、かつ、互いに交差する２方向を第１方向及び第２方向とした場合、前記第１送出部は、前記発光管に対して前記第１方向側に位置し、前記第２送出部は、前記発光管に対して前記第２方向側に位置し、前記第３送出部は、前記発光管に対して前記第２方向とは反対方向側に位置し、前記第４送出部は、前記発光管に対して前記第１方向とは反対方向側に位置することが好ましい。
【００１１】
上記第１態様によれば、第１送出部、第２送出部、第３送出部及び第４送出部が、それぞれ発光管に対して、第１方向側、第２方向側、第１方向とは反対方向側、及び、第２方向とは反対側に位置する。これによれば、発光管の中心軸が水平方向（重力方向に対する直交方向）に沿うように光源装置が配置された場合に、４つの送出部のうちの少なくともいずれかが、当該発光管に対して鉛直方向上側（重力方向に対して反対方向側）に位置することとなる。そして、上記第１弁、第２弁及び第４弁によって、発光管に対して鉛直方向上側に位置する送出部に冷却気体が導かれ、第３弁及び第５弁が送出部を開閉することにより、当該送出部を介して、冷却気体を発光管に対して鉛直方向上側から送出可能となる。
また、発光管の中心軸が鉛直方向（重力方向）に沿うように光源装置が配置された場合でも、４つの送出部のうちの少なくともいずれかが、当該発光管に対して鉛直方向上側に位置することにより、第１〜第５弁によって当該鉛直方向上側に位置する送出部に冷却気体が導かれ、当該送出部を介して、冷却気体は、発光管に対して鉛直方向上側から送出される。
このため、上記第１〜第４送出部のいずれかが発光管に対して鉛直方向上側となる姿勢であれば、当該発光管に対して、冷却気体を鉛直方向上側から確実に流通させることができる。従って、発光管を効率よく冷却できる。
【００１２】
上記第１態様では、前記発光管は、発光物質及び電極が内部に封入された発光部を有し、前記第１送出部、前記第２送出部、前記第３送出部及び前記第４送出部は、流通された前記冷却気体を、前記発光部に向けて送出することが好ましい。
このような構成によれば、第１〜第４送出部のいずれかにより、当該送出部に流通された冷却気体を鉛直方向上側から発光部に送出できる。これによれば、上記のように、発光管において最も高温となる発光部を効果的に冷却できる。従って、発光管の劣化を抑制でき、当該発光管の長寿命化を図ることができる。
【００１３】
上記第１態様では、前記第２弁及び前記第４弁は、自重によって回動する遮蔽板であり、前記ダクト部は、前記第１導風部を開放する際に前記第２弁が配置される第１凹部と、前記第２導風部を開放する際に前記第４弁が配置される第２凹部と、を有することが好ましい。
このような構成によれば、第２弁が第１導風部を開放する際に、当該第２弁が第１凹部内に配置されることにより、第１導風部内において冷却気体が流通する流路面積が減少することを抑制できる他、当該冷却気体が第２弁に当たることによる冷却気体の圧力損失の発生を抑制できる。第４弁が配置される第２凹部によっても、同様の効果が得られる。
【００１４】
上記第１態様では、前記第１送出部は、前記冷却気体が通過する第１開口部を有し、前記第３送出部は、前記冷却気体が通過する第２開口部を有し、前記第３弁は、前記第１開口部に位置し、前記第５弁は、前記第２開口部に位置することが好ましい。
このような構成によれば、第１送出部を開閉する第３弁が、当該第１送出部が有する第１開口部に位置し、第３送出部を開閉する第５弁が、当該第３送出部が有する第２開口部に位置する。これによれば、これら第１送出部及び第３送出部のそれぞれを、光源装置の姿勢に応じて確実に開閉できる。
【００１５】
本発明の第２態様に係るプロジェクターは、上記光源装置と、前記光源装置から出射された光を変調する光変調装置と、前記光変調装置により変調された光を投射する投射光学装置と、前記光源装置に冷却気体を送出する冷却装置と、を備えることを特徴とする。
上記第２態様によれば、上記第１態様に係る光源装置と同様の効果を奏することができる。また、上記のように、発光管の長寿命化を図ることができる上記光源装置が採用されることにより、プロジェクターのメンテナンスの手間を省くことができる。
【００１６】
上記第２態様では、外装を構成する外装筐体を備え、当該プロジェクターは、前記投射光学装置による光の投射方向が水平方向に沿い、前記外装筐体の底面部が鉛直方向における下向きとなる第１姿勢と、前記投射光学装置による光の投射方向が水平方向に沿い、前記外装筐体の底面部が鉛直方向における上向きとなる第２姿勢と、前記投射光学装置による光の投射方向が鉛直方向上向きとなる第３姿勢と、前記投射光学装置による光の投射方向が鉛直方向下向きとなる第４姿勢と、のそれぞれの姿勢で設置可能に構成され、前記第１送出部、前記第２送出部、前記第３送出部及び前記第４送出部は、それぞれ、前記第１姿勢、前記第２姿勢、前記第３姿勢及び前記第４姿勢のいずれかにて前記発光管に対して鉛直方向における上側に位置することが好ましい。
このような構成によれば、プロジェクターの姿勢に応じて、第１〜第４送出部のうち、発光管に対して鉛直方向上側に位置する送出部から、当該発光管に冷却気体を送出できる。従って、上記第１態様に係る光源装置が奏することができる効果を、確実に奏することができる。
【図面の簡単な説明】
【００１７】
【図１】本発明の一実施形態に係るプロジェクターを示す斜視図。
【図２】上記一実施形態に係る装置本体の構成を示す模式図。
【図３】上記一実施形態に係る投射光学装置の内部構成を模式的に示す断面図。
【図４】上記一実施形態に係る光出射側から見た光源装置を示す斜視図。
【図５】上記一実施形態に係る光出射側とは反対側から見た光源装置を示す斜視図。
【図６】図４に示した状態からダクト形成部材を取り外した光源装置を示す斜視図。
【図７】上記一実施形態に係る第１筐体及びダクト形成部材を示す斜視図。
【図８】上記一実施形態に係る第１筐体及びダクト形成部材を示す断面図。
【図９】上記一実施形態に係る第１筐体及びダクト形成部材を示す断面図。
【図１０】上記一実施形態に係る逆置き姿勢での収容体を示す断面図。
【図１１】上記一実施形態に係る上側投射姿勢での収容体を示す断面図。
【図１２】上記一実施形態に係る下側投射姿勢での収容体を示す断面図。
【図１３】上記一実施形態に係る遮蔽板を示す斜視図。
【図１４】上記一実施形態に係る第１導風部の送出部を示す断面図。
【図１５】上記一実施形態に係る第１導風部の送出部を示す断面図。
【図１６】上記一実施形態に係る第１導風部の送出部を流通する冷却気体の流路を示す図。
【発明を実施するための形態】
【００１８】
以下、本発明の一実施形態について、図面に基づいて説明する。
［プロジェクターの外観構成］
図１は、本実施形態に係るプロジェクター１を示す斜視図である。
本実施形態に係るプロジェクター１は、内部に設けられた光源装置５（図２参照）から出射された光を変調して画像情報に応じた画像を形成し、当該画像をスクリーン等の被投射面上に拡大投射する画像表示装置である。このプロジェクター１は、図１に示すように、外装を構成し、後述する装置本体３を収容する外装筐体２を備える。
外装筐体２は、全体略直方体形状を有する合成樹脂製の筐体である。この外装筐体２は、アッパーケース２Ａ及びロアーケース２Ｂが組み合わされて構成され、天面部２１、底面部２２、左側面部２３、右側面部２４、背面部２５及び正面部２６を有する。なお、底面部２２は、天面部２１の反対側の面であり、右側面部２４は、左側面部２３の反対側の面であり、正面部２６は、背面部２５の反対側の面である。
これらのうち、天面部２１には、装置本体３を構成する画像投射装置４の投射光学装置４４の一部が露出され、当該画像投射装置４により形成された画像が通過する開口部２１１が位置する。
【００１９】
［装置本体の構成］
図２は、装置本体３の構成を示す模式図である。
装置本体３は、プロジェクター１の内部構成に相当し、上記外装筐体２内に収容される。この装置本体３は、図２に示すように、画像投射装置４及び冷却装置９を備える。なお、図示を省略するが、装置本体３は、これらの他に、プロジェクター１全体の動作を制御する制御装置、及び、当該プロジェクター１を構成する電子部品に電力を供給する電源装置等を備える。
これらのうち、冷却装置９は、外装筐体２内に取り込まれた冷却気体を、後述する光源装置５の収容体６に吐出する冷却ファン９１を有する。
【００２０】
［画像投射装置の構成］
画像投射装置４は、上記制御装置による制御の下、画像情報（画像信号を含む）に応じた画像を形成して投射する。この画像投射装置４は、光源装置５、均一化装置４１、色分離装置４２、画像形成装置４３、投射光学装置４４及び光学部品用筐体４５を備える。
なお、以下の説明では、光源装置５から出射される光の進行方向を＋Ｚ方向とし、当該＋Ｚ方向にそれぞれ直交し、かつ、互いに直交する方向を＋Ｘ方向及び＋Ｙ方向とする。本実施形態では、＋Ｚ方向は、右側面部２４から左側面部２３に向かう方向であるので、＋Ｙ方向を、上記底面部２２から天面部２１に向かう方向とし、＋Ｘ方向を、正面部２６から背面部２５に向かう方向とする。すなわち、＋Ｘ方向は、プロジェクター１を天面部２１側から平面視した場合に、投射光学装置４４による画像の投射方向とは反対方向となる。また、図示を省略するが、説明の便宜上、＋Ｚ方向の反対方向を−Ｚ方向とする。−Ｘ方向及び−Ｙ方向も同様である。
なお、本明細書において、鉛直方向とは重力方向を示し、鉛直方向上側とは重力方向に対する反対方向側を示し、鉛直方向下側とは重力方向側を示す。また、鉛直方向における上向き、及び、鉛直方向上向きとは、重力方向に対する反対方向側を向くことを示し、鉛直方向における下向き、及び、鉛直方向下向きとは、重力方向側を向くことを示す。更に、鉛直方向上部とは、重力方向に対する反対方向側の部位を示す。加えて、水平方向とは重力方向に対する直交方向を示す。
【００２１】
［光源装置の構成］
光源装置５は、発光管５１、主反射鏡５２、平行化レンズ５３及び収容体６を有し、均一化装置４１に光束を出射する。
発光管５１は、発光物質及び電極が内部に封入された略球状の発光部５１１と、当該発光部５１１の両端から互いに反対方向に延出する封止部５１２，５１３と、を有する。これらのうち、発光部５１１内の電極に、封止部５１２，５１３を挿通するリード線（図示省略）を介してランプ電力を供給すると、当該発光部５１１内にて放電発光が生じる。
なお、発光管５１には、発光部５１１における封止部５１２側の領域を覆って、当該発光部５１１から入射される光を主反射鏡５２に向けて反射させる副反射鏡５１４が取り付けられている。
【００２２】
主反射鏡５２は、本発明の反射鏡に相当し、封止部５１３に固定されている。この主反射鏡５２は、発光部５１１から入射される光（副反射鏡５１４にて反射された光を含む）を反射させ、平行化レンズ５３に入射させる凹曲面状の反射面を有する。
平行化レンズ５３は、発光管５１及び主反射鏡５２から入射される光を平行化して、均一化装置４１に向けて出射する。この他、平行化レンズ５３は、発光管５１が破裂した際に当該発光管５１の破片の飛散を防止する防爆部材としても機能する。
収容体６は、発光管５１、主反射鏡５２及び平行化レンズ５３を収容する。この収容体６の構成は、後に詳述する。
【００２３】
［均一化装置の構成］
均一化装置４１は、光源装置５から入射される光束の中心軸に対する直交面内の照度を均一化する。この均一化装置４１は、光源装置５からの光の入射順に、第１レンズアレイ４１１、調光装置４１２、第２レンズアレイ４１３、偏光変換素子４１４及び重畳レンズ４１５を有する。
【００２４】
［色分離装置の構成］
色分離装置４２は、均一化装置４１から入射される光束を、赤（Ｒ）、緑（Ｇ）及び青（Ｂ）の３つの色光に分離し、当該３つの色光を画像形成装置４３に入射させる。この色分離装置４２は、ダイクロイックミラー４２１，４２２と、反射ミラー４２３，４２４，４２５と、入射側レンズ４２６と、リレーレンズ４２７と、を備える。
ダイクロイックミラー４２１は、青色光を反射させ、緑色光及び赤色光を透過させる。ダイクロイックミラー４２２は、緑色光を反射させ、赤色光を透過させる。
反射ミラー４２３は、青色光の光路上に設けられる。また、反射ミラー４２４，４２５、入射側レンズ４２６及びリレーレンズ４２７は、赤色光の光路上に設けられる。
【００２５】
［画像形成装置の構成］
画像形成装置４３は、分離された各色光を色光毎に変調して、画像情報に応じた画像を形成する。この画像形成装置４３は、それぞれ色光毎に設けられるフィールドレンズ４３１、入射側偏光板４３２、光変調装置４３３及び出射側偏光板４３４と、色合成装置としてのクロスダイクロイックプリズム４３５と、を有する。
これらのうち、光変調装置４３３（赤、緑及び青用の光変調装置をそれぞれ４３３Ｒ，４３３Ｇ，４３３Ｂとする）は、上記制御装置から入力される画像情報に基づいて、入射される色光を変調する。このような光変調装置４３３として、本実施形態では、液晶パネルが採用されている。
また、クロスダイクロイックプリズム４３５は、各光変調装置４３３Ｒ，４３３Ｇ，４３３Ｂにより変調された各色光（各色画像）を合成した画像光を出射する。
【００２６】
［投射光学装置の構成］
図３は、投射光学装置４４の内部構成を模式的に示す断面図である。
投射光学装置４４は、画像形成装置４３から入射される画像光を上記被投射面上に拡大投射する。この投射光学装置４４は、図３に示すように、複数のレンズ４４１と、非球面ミラー４４２と、これらを内部に収納する中空状の保持体４４３と、を備える。
複数のレンズ４４１は、例えば、ズームレンズ及びフォーカスレンズを含む。
非球面ミラー４４２は、投射光学装置４４における光路最下流に、回転対称でない自由曲面形状の反射面４４２Ａが、−Ｘ方向側及び＋Ｙ方向側を向くように配置される。この非球面ミラー４４２は、複数のレンズ４４１により、＋Ｘ方向側に導かれた画像光を−Ｘ方向及び＋Ｙ方向側に折り返すとともに、当該画像光を広角化する。
保持体４４３は、天面部２１側の部位に、非球面ミラー４４２にて反射された画像が通過する開口部４４３１を有する他、当該開口部４４３１に嵌め込まれ、可視光を透過させるガラス等の基板４４３２を有する。これら開口部４４３１及び基板４４３２を通過した画像光は、上記開口部２１１を介して外装筐体２の外部に出射される。
【００２７】
［光学部品用筐体の構成］
図２に示す光学部品用筐体４５は、−Ｙ方向側に位置する部品収納部材と、＋Ｙ方向側に位置する蓋状部材とを有する箱状筐体であり、上記各装置５，４１〜４４を一体化する。このようにして一体化された画像投射装置４は、＋Ｚ方向及び＋Ｘ方向に延びる略Ｌ字状に構成されている。
光学部品用筐体４５内には、照明光軸ＡＸが設定されており、上記光源装置５及び各装置４１，４２は、当該照明光軸ＡＸ上の所定位置に配置され、上記装置４３，４４は、当該照明光軸ＡＸの延長線上に配置される。このため、光源装置５が光学部品用筐体４５に接続された際には、当該光源装置５から出射される光束の中心軸は、照明光軸ＡＸと一致する。
【００２８】
［収容体の構成］
図４及び図５は、光源装置５を構成する収容体６の外観を示す斜視図である。これらのうち、図４は、光出射側から見た光源装置５を示す斜視図であり、図５は、光出射側とは反対側から見た光源装置５を示す斜視図である。また、図６は、図４に示した状態からダクト形成部材６Ｃを取り外した光源装置５を示す斜視図である。
収容体６は、上記のように、光源装置５の外装を構成して、上記発光管５１及び主反射鏡５２を内部に収容するとともに、平行化レンズ５３を保持する光源収納用筐体である。この収容体６は、図４〜図６に示すように、主反射鏡５２の正面側（＋Ｚ方向側）を覆う第１筐体６Ａと、当該主反射鏡５２の背面側（−Ｚ方向側）を覆う第２筐体６Ｂと、第１筐体６Ａに取り付けられて、当該第１筐体６Ａ内にダクト部７を形成するダクト形成部材６Ｃと、を有する。そして、収容体６は、これら筐体６Ａ，６Ｂ及びダクト形成部材６Ｃが組み合わされて構成される天面部６１、底面部６２、左側面部６３、右側面部６４、背面部６５及び正面部６６を有する。
【００２９】
＋Ｙ方向側に位置する天面部６１は、図５に示すように、背面部６５側の位置に把手６１１を有する。この把手６１１は、略Ｕ字状に形成されており、当該把手６１１の両端は、左側面部６３及び右側面部６４に回動可能に支持されている。すなわち、把手６１１は、天面部６１から＋Ｙ方向に起立するように回動可能に支持され、外装筐体２内に設けられた光源収納部（図示省略）に収納される光源装置５を取り出しやすくしている。
【００３０】
＋Ｚ方向側に位置する正面部６６は、図４及び図６に示すように、発光管５１及び主反射鏡５２から出射された光が透過する開口部６６１を有し、当該開口部６６１に応じた位置には、平行化レンズ５３（図４及び図６では図示省略）が配置される。この平行化レンズ５３は、係止部材である板ばね６６２によって係止される。
正面部６６における−Ｘ方向側及び＋Ｙ方向側の端部６６３は、−Ｘ方向側に突出しており、当該端部６６３を＋Ｙ方向側から覆うように、上記ダクト形成部材６Ｃが取り付けられる。このような端部６６３に当該ダクト形成部材６Ｃが取り付けられることにより、後述するダクト部７の一部が形成される。
【００３１】
−Ｘ方向側に位置する右側面部６４は、図示を省略するが、発光管５１と接続されるコネクターを有する。このコネクターは、上記光源収納部に配設されたコネクターと接続され、これらコネクターを介して、発光管５１に供給されるランプ電力が供給される。
また、右側面部６４は、背面部６５側の位置に導入口（図示省略）を有する。この導入口は、収容体６内において主反射鏡５２に対する−Ｚ方向側の空間に、収容体６外の冷却気体を導入させる。
【００３２】
＋Ｘ方向側に位置する左側面部６３は、図５に示すように、＋Ｚ方向側の部位（第１筐体６Ａにより構成される部位）に位置する排出口６３１と、−Ｚ方向側の部位（第２筐体６Ｂにより構成される部位）に位置する排出口６３２とを有する。
排出口６３１は、収容体６内において主反射鏡５２に対する＋Ｚ方向側の空間内にて発光管５１を冷却した空気を、収容体６外に排出する。なお、図示を省略するが、排出口６３１には、金属製のメッシュが取り付けられている。
排出口６３２は、上記右側面部６４に位置する導入口から導入されて主反射鏡５２における−Ｚ方向側の部位に沿って流通し、当該主反射鏡５２を冷却した冷却気体を、収容体６外に排出する。
【００３３】
［第１筐体の内部構成］
図７は、ダクト形成部材６Ｃが取り付けられた第１筐体６Ａを−Ｘ方向側及び−Ｚ方向側から見た斜視図である。また、図８及び図９は、第１筐体６Ａ及びダクト形成部材６ＣのＸＹ平面に沿う断面を示す図である。なお、図８においては、後述する弁Ｖ４（図９参照）の図示を省略している。
第１筐体６Ａは、上記のように、−Ｚ方向側に開口し、当該開口を閉塞するように主反射鏡５２が接続されて、当該主反射鏡５２の反射面を＋Ｚ方向側から覆う箱状筐体である。この第１筐体６Ａは、図７〜図９に示すように、−Ｚ方向側から見て略八角形状の内壁部６Ａ１を有し、当該内壁部６Ａ１は、発光管５１及び主反射鏡５２と平行化レンズ５３との間に空間Ｓを形成する。すなわち、内壁部６Ａ１は、中心軸が＋Ｚ方向に沿うように配置される発光管５１の周方向に沿って当該発光管５１を囲む。
この内壁部６Ａ１の内側には、図７及び図９に示すように、発光管５１から出射された光を遮蔽する略八角筒状の遮光部材６Ｄが取り付けられている。この遮光部材６Ｄにおける＋Ｘ方向側の部位には、発光管５１を冷却した冷却気体を、上記排出口６３１とともに収容体６外に排出する開口部６Ｄ１が形成されている。
【００３４】
［ダクト部の構成］
ダクト部７は、図８及び図９に示すように、第１筐体６Ａ及びダクト形成部材６Ｃが組み合わされて形成され、発光管５１の中心軸を中心とする周方向に沿って当該発光管５１を略囲むように設けられる。すなわち、ダクト部７は、＋Ｙ方向側、＋Ｘ方向側、−Ｙ方向側及び−Ｘ方向側にて発光管５１を覆う（囲む）ように、当該発光管５１の中心軸（＋Ｚ方向）を中心として設けられている。
【００３５】
このようなダクト部７は、導入口７１、分岐部７２、第１導風部７３及び第２導風部７４を有する。
導入口７１は、第１筐体６Ａ及びダクト形成部材６Ｃが組み合わされて形成され、正面部６６側に開口している。この導入口７１は、冷却装置９を構成する冷却ファン９１の送出口と接続され、当該冷却ファン９１が送出する冷却気体をダクト部７内に導入する。
分岐部７２は、ダクト部７内において導入口７１近傍に位置し、第１導風部７３及び第２導風部７４と接続されている。
【００３６】
第１導風部７３及び第２導風部７４のそれぞれは、導入口７１を介して内部に導入された冷却気体が流通可能に構成されている。
第１導風部７３は、分岐部７２から内壁部６Ａ１に沿って＋Ｘ方向側に延出した後、当該内壁部６Ａ１に沿って−Ｙ方向側に延出している。第２導風部７４は、分岐部７２から内壁部６Ａ１に沿って−Ｙ方向側に延出した後、当該内壁部６Ａ１に沿って＋Ｘ方向側に延出している。なお、第１導風部７３及び第２導風部７４は、内壁部６Ａ１によって、空間Ｓと区切られている。
すなわち、図９に示すように、−Ｚ方向側から第１筐体６Ａを見た場合に、第１導風部７３は、発光管５１に対して＋Ｙ方向側及び＋Ｘ方向側を覆うように位置し、第２導風部７４は、発光管５１に対して−Ｘ方向側及び−Ｙ方向側を覆うように位置する。
なお、第１導風部７３において冷却気体の流路の終端となる−Ｙ方向の延出方向先端部と、第２導風部７４において冷却気体の流路の終端となる＋Ｘ方向への延出方向先端部とは接続されておらず、これら先端部の間に、上記排出口６３１が位置している。すなわち、第１導風部７３及び第２導風部７４は、＋Ｘ方向側で−Ｙ方向側の一部を除いて発光管５１を囲むように形成される。
【００３７】
このようなダクト部７において、分岐部７２には、導入口７１から導入された冷却気体（導入気体）を、第１導風部７３及び第２導風部７４のいずれかに導く弁Ｖ１が設けられている。この弁Ｖ１は、一端が内壁部６Ａ１に回動可能に支持された遮蔽板であり、自重によって回動することにより、当該冷却気体を第１導風部７３及び第２導風部７４のいずれかに導く。このような弁Ｖ１による冷却気体の流路切替については、後に詳述する。
【００３８】
［第１導風部の構成］
第１導風部７３は、送出部７３１，送出部７３２及び弁Ｖ２を有する。
送出部７３１，７３２は、第１導風部７３内を流通した冷却気体を発光管５１の発光部５１１に向けて送出する。これらのうち、送出部７３１は、第１筐体６Ａを−Ｚ方向側から見た場合に発光管５１に対する＋Ｙ方向側に位置し、当該冷却気体を＋Ｙ方向側から発光部５１１に送出する。また、送出部７３２は、同じく第１筐体６Ａを−Ｚ方向側から見た場合に発光管５１に対する＋Ｘ方向側に位置し、当該冷却気体を＋Ｘ方向側から発光部５１１に送出する。
【００３９】
弁Ｖ２は、第１導風部７３内を流通する冷却気体の流路において、送出部７３１，７３２間に位置し、当該第１導風部７３内に導入された冷却気体を送出部７３１，７３２のいずれかに導く機能を有する。
具体的に、弁Ｖ２は、一端が第１導風部７３における発光管５１側とは反対側の内面部７３Ａに回動可能に支持された遮蔽板である。この弁Ｖ２は、当該一端を中心として自重によって＋Ｘ方向側で−Ｙ方向側に回動して、他端が内面部７３Ａとは反対側の内面部７３Ｂ（発光管５１側の内面部７３Ｂ）に当接すると、当該第１導風部７３が閉塞（遮蔽）され、これにより、冷却気体は送出部７３１に導かれる。また、弁Ｖ２が−Ｘ方向側で＋Ｙ方向側に回動して、当該弁Ｖ２の他端が内面部７３Ａに当接すると、第１導風部７３が開放され、これにより、冷却気体は送出部７３２に導かれる。ここで、内面部７３Ｂは、発光管５１の周方向に沿って当該発光管５１を囲む内壁部６Ａ１の内壁部６Ａ１の一部を形成する部位である。すなわち、内面部７３Ｂは、発光管５１の周方向に沿う部位である。
なお、弁Ｖ２が支持される内面部７３Ａには、内面部７３Ｂとは反対側に凹む凹部７３３（第１凹部）が形成されている。そして、第１導風部７３が開放される際に、弁Ｖ２が凹部７３３内に配置されることにより、第１導風部７３の断面積が弁Ｖ２によって削減されることが抑制される他、弁Ｖ２に当たることによる冷却空気の圧力損失の発生が抑制される。
また、内面部７３Ｂにおける弁Ｖ２の自由端（回動軸側とは反対側の端部）の当接部位は、送出部７３１における開口部７３１１の端縁に設定されている。
【００４０】
送出部７３１は、第１導風部７３内に開口する開口部７３１１（第１開口部）と、当該開口部７３１１を開閉する弁Ｖ３と、を有する。
開口部７３１１は、第１導風部７３を流通した冷却気体が通過する開口部であり、当該冷却気体を＋Ｙ方向側から発光部５１１に送出する。この開口部７３１１は、上記のように、内面部７３Ｂに沿う端縁により形成されて、発光管５１の中央に位置する発光部５１１より＋Ｚ方向側に位置している。
弁Ｖ３は、複数の遮蔽板ＰＬにより構成され、本実施形態では２つの遮蔽板ＰＬによって構成されている。これら遮蔽板ＰＬは、一端が開口部７３１１の端縁に回動可能に支持されて、自重によって回動する。そして、これら遮蔽板ＰＬが一方（＋Ｘ方向側であり、第１導風部７３の終端側）に回動して、開口部７３１１を通過する冷却気体の流通方向に沿うように配置されると、当該開口部７３１１が開放されて、当該冷却気体が開口部７３１１を通過可能となる。一方、遮蔽板ＰＬが他方（−Ｘ方向側であり、第１導風部７３の基端側）に回動して、一方の遮蔽板ＰＬの先端部（回動軸側とは反対側の端部）が開口部７３１１の内壁に当接し、他方の遮蔽板ＰＬの先端部が一方の遮蔽板ＰＬの回動軸側の端部に当接することにより、開口部７３１１は閉塞される。
なお、送出部７３１の他の構成については、後に詳述する。
【００４１】
送出部７３２は、第１導風部７３内に開口する開口部７３２１を有し、弁Ｖ２が第１導風部７３を開放した場合に流通される冷却気体を、当該開口部７３２１を介して＋Ｘ方向側から発光部５１１に送出する。なお、送出部７３２は弁を有しないが、弁Ｖ２が第１導風部７３を閉塞する際に、開口部７３２１を閉塞する弁を設けてもよい。
【００４２】
［第２導風部の構成］
第２導風部７４は、上記第１導風部７３と同様に、第２導風部７４内を流通した冷却気体を発光部５１１に送出する送出部７４１，７４２と、弁Ｖ４と、を有する。
送出部７４１は、第１筐体６Ａを−Ｚ方向側から見た場合に発光管５１に対する−Ｘ方向側に位置し、第２導風部７４を流通した冷却気体を−Ｘ方向側から発光部５１１に送出する。
送出部７４２は、同じく第１筐体６Ａを−Ｚ方向側から見た場合に発光管５１に対する−Ｙ方向側に位置し、第２導風部７４を流通した冷却気体を−Ｙ方向側から発光部５１１に送出する。
【００４３】
弁Ｖ４は、第２導風部７４内を流通する冷却気体の流路において、送出部７４１，７４２間に位置し、当該第２導風部７４内に導入された冷却気体を送出部７４１，７４２のいずれかに導く機能を有する。
具体的に、弁Ｖ４は、一端が第２導風部７４における発光管５１側とは反対側の面７４Ａに回動可能に支持された遮蔽板である。この弁Ｖ４は、当該一端を中心として自重によって＋Ｘ方向側で−Ｙ方向側に回動して、他端が面７４Ａとは反対側の面７４Ｂ（発光管５１側の面７４Ｂであり、内壁部６Ａ１の一部を形成する面７４Ｂ）に当接すると、当該第２導風部７４が閉塞（遮蔽）され、これにより、冷却気体は送出部７４１に導かれる。また、弁Ｖ４が−Ｘ方向側で＋Ｙ方向側に回動して、当該弁Ｖ４の他端が面７４Ａに当接すると、第２導風部７４が開放され、これにより、冷却気体は送出部７４２に導かれる。
なお、弁Ｖ４が支持される面７４Ａには、上記凹部７３３と同様の凹部７４３（第２凹部）が形成されている。そして、第２導風部７４が開放される際に、弁Ｖ４が凹部７４３内に配置されることにより、第２導風部７４の断面積が弁Ｖ４によって削減されることが抑制される他、弁Ｖ４に当たることによる冷却空気の圧力損失の発生が抑制される。
また、面７４Ｂにおける弁Ｖ４の自由端（回動軸側とは反対側の端部）の当接部位は、送出部７４１における開口部７４１１の端縁に設定されている。
【００４４】
送出部７４１は、第２導風部７４内に開口する開口部７４１１（第１開口部）と、当該開口部７４１１を開閉する弁Ｖ５と、を有する。
開口部７４１１は、第２導風部７４を流通した冷却気体が通過する開口部であり、当該冷却気体を−Ｘ方向側から発光部５１１に送出する。
弁Ｖ５は、上記弁Ｖ３と同様に複数の遮蔽板ＰＬにより構成され、本実施形態では２つの遮蔽板ＰＬによって構成されている。これら遮蔽板ＰＬは、一端が開口部７４１１の端縁に回動可能に支持されて、自重によって回動する。そして、これら遮蔽板ＰＬが一方（−Ｙ方向側であり、第２導風部７４の終端側）に回動して、開口部７４１１を通過する冷却気体の流通方向に沿うように配置されると、当該開口部７４１１が開放されて、当該冷却気体が開口部７４１１を通過可能となる。一方、遮蔽板ＰＬが他方（＋Ｙ方向側であり、第２導風部７４の基端側）に回動して、一方の遮蔽板ＰＬの先端部（回動軸側とは反対側の端部）が開口部７４１１の内壁に当接し、他方の遮蔽板ＰＬの先端部が一方の遮蔽板ＰＬの回動軸側の端部に当接することにより、開口部７４１１は閉塞される。
【００４５】
送出部７４２は、第２導風部７４内に開口する開口部７４２１を有し、弁Ｖ４が第２導風部７４を開放した場合に流通される冷却気体を、当該開口部７４２１を介して−Ｙ方向側から発光部５１１に送出する。なお、上記送出部７３２と同様に、送出部７４２は弁を有しないが、弁Ｖ４が第２導風部７４を閉塞する際に、開口部７４２１を閉塞する弁を設けてもよい。
【００４６】
［プロジェクターの設置姿勢］
図１に示したプロジェクター１は、設置台や設置具を用いることにより、正置き姿勢、逆置き姿勢、上側投射姿勢及び下側投射姿勢の各姿勢で設置することが可能である。
正置き姿勢は、設置台上に載置される際の姿勢である。すなわち、正置き姿勢は、上記底面部２２が鉛直方向下側を向き、上記投射光学装置４４による画像光の投射方向が略水平方向に沿い、かつ、当該画像光が鉛直面に沿う被投射面上に投射される姿勢である。
逆置き姿勢は、設置具等を用いて天井等に配置される際の姿勢であり、いわゆる天吊り姿勢である。すなわち、逆置き姿勢は、上記底面部２２が鉛直方向上側を向き、上記投射光学装置４４による画像光の投射方向が水平方向に沿い、かつ、当該画像光が鉛直面に沿う被投射面上に投射される姿勢である。
上側投射姿勢は、上記底面部２２が水平方向を向き、上記投射光学装置４４による画像光の投射方向が鉛直方向上側を向き、当該画像光が天井等の水平面に沿う被投射面上に投射される姿勢である。
下側投射姿勢は、上記底面部２２が水平方向を向き、上記投射光学装置４４による画像光の投射方向が鉛直方向下側を向き、当該画像光が床等の水平面に沿う被投射面上に投射される姿勢である。
これら姿勢のうち、いずれの姿勢にてプロジェクター１が設置された場合でも、上記光源装置５から出射される光の進行方向である＋Ｚ方向は、水平方向に沿う方向である。
【００４７】
［正置き姿勢での冷却気体の流路］
上記正置き姿勢にてプロジェクター１が設置された場合、図９に示したように、第１導風部７３の送出部７３１が、発光管５１に対して鉛直方向上側に位置することとなる。
この姿勢では、分岐部７２に設けられた弁Ｖ１が−Ｘ方向側で−Ｙ方向側に回動して第１導風部７３を開放し、第２導風部７４を閉塞する。このため、導入口７１を介してダクト部７内に導入された冷却気体は、第１導風部７３内に流入される。また、この姿勢では、弁Ｖ２が回動して第１導風部７３を閉塞するとともに、送出部７３１の弁Ｖ３が開口部７３１１を開放する。
これにより、第１導風部７３内に流入した冷却気体は、図９に矢印Ａ１にて示されるように、送出部７３１の開口部７３１１を介して、＋Ｙ方向側、すなわち、当該正置き姿勢において発光管５１に対する鉛直方向上側から、発光部５１１に向けて送出される。従って、発光部５１１における鉛直方向上部に冷却気体が送風され、当該上部が積極的に冷却される。
【００４８】
［逆置き姿勢での冷却気体の流路］
図１０は、上記逆置き姿勢での収容体６の断面を−Ｚ方向側から見た図である。
上記逆置き姿勢にてプロジェクター１が設置された場合、図１０に示すように、第２導風部７４の送出部７４２が、発光管５１に対して鉛直方向上側に位置する。
この姿勢では、上記弁Ｖ１が＋Ｘ方向側で＋Ｙ方向側に回動して第２導風部７４を開放し、第１導風部７３を閉塞する。このため、導入口７１を介してダクト部７内に導入された冷却気体は、第２導風部７４内に流入される。また、この姿勢では、弁Ｖ４が回動して第２導風部７４を開放するとともに、送出部７４１の弁Ｖ５が開口部７４１１を閉塞する。この際、弁Ｖ５を構成する２つの遮蔽板ＰＬのうち、一方の遮蔽板ＰＬは、回動軸側とは反対側の端部が開口部７４１１の端縁に当接することによって更なる回動が規制され、他方の遮蔽板ＰＬは、一方の遮蔽板ＰＬの回動軸側の端部に当接することによって更なる回動が規制される。
これにより、第２導風部７４内に流入した冷却気体は、図１０に矢印Ａ２にて示されるように、当該第２導風部７４に沿って流通し、送出部７４２の開口部７４２１を介して、−Ｙ方向側、すなわち、当該逆置き姿勢において発光管５１に対する鉛直方向上側から、発光部５１１に向けて送出される。従って、発光部５１１における鉛直方向上部に冷却気体が送風され、当該上部が積極的に冷却される。
【００４９】
［上側投射姿勢での冷却気体の流路］
図１１は、上記上側投射姿勢での収容体６の断面を−Ｚ方向側から見た図である。
上記上側投射姿勢にてプロジェクター１が設置された場合、図１１に示すように、第２導風部７４の送出部７４１が、発光管５１に対して鉛直方向上側に位置する。
この姿勢では、上記弁Ｖ１が＋Ｘ方向側で＋Ｙ方向側に回動して第２導風部７４を開放し、第１導風部７３を閉塞するため、導入口７１を介してダクト部７内に導入された冷却気体は、第２導風部７４内に流入される。また、この姿勢では、弁Ｖ４が回動して第２導風部７４を閉塞するとともに、送出部７４１の弁Ｖ５が開口部７４１１を開放する。
これにより、第２導風部７４内に流入した冷却気体は、図１１に矢印Ａ３にて示されるように、送出部７４１の開口部７４１１を介して、−Ｘ方向側、すなわち、当該上側投射姿勢において発光管５１に対する鉛直方向上側から、発光部５１１に向けて送出される。従って、発光部５１１における鉛直方向上部に冷却気体が送風され、当該上部が積極的に冷却される。
【００５０】
［下側投射姿勢での冷却気体の流路］
図１２は、上記下側投射姿勢での収容体６の断面を−Ｚ方向側から見た図である。
上記下側投射姿勢にてプロジェクター１が設置された場合、図１２に示すように、第１導風部７３の送出部７３２が、発光管５１に対して鉛直方向上側に位置する。
この姿勢では、弁Ｖ１が−Ｘ方向側で−Ｙ方向側に回動して第１導風部７３を開放し、第２導風部７４を閉塞する。このため、導入口７１を介してダクト部７に導入された冷却気体は、第１導風部７３内に流入される。また、この姿勢では、弁Ｖ２が回動して第１導風部７３を開放するとともに、送出部７３１の弁Ｖ３が開口部７３１１を閉塞する。この際、上記弁Ｖ５の場合と同様に、弁Ｖ３を構成する２つの遮蔽板ＰＬのうち、一方の遮蔽板ＰＬは、回動軸側とは反対側の端部が開口部７３１１の端縁に当接することによって更なる回動が規制され、他方の遮蔽板ＰＬは、一方の遮蔽板ＰＬの回動軸側の端部に当接することによって更なる回動が規制される。
これにより、第１導風部７３内に流入した冷却気体は、図１２に矢印Ａ４にて示されるように、当該第１導風部７３に沿って流通し、送出部７３２の開口部７３２１を介して、＋Ｘ方向側、すなわち、当該下側投射姿勢において発光管５１に対する鉛直方向上側から、発光部５１１に向けて送出される。従って、発光部５１１における鉛直方向上部に冷却気体が送風され、当該上部が積極的に冷却される。
【００５１】
このように、弁Ｖ１〜Ｖ５が自重によって回動することにより、上記送出部７３１，７３２，７４１，７４２のうち、プロジェクター１が設置された姿勢において発光管５１に対する鉛直方向上側に位置する送出部に、冷却気体が導かれる。そして、当該送出部を介して、冷却気体が鉛直方向上側から発光部５１１に送出されることにより、当該発光部５１１における鉛直方向上部を効率よく冷却できる。
なお、発光管５１を冷却した冷却気体は、図９〜図１２に矢印Ａ５にて示されるように、上記開口部６Ｄ１及び排出口６３１を介して、収容体６外に排出される。
【００５２】
［遮蔽板の構成］
図１３は、遮蔽板ＰＬを示す斜視図である。
ここで、上記弁Ｖ３，Ｖ５を構成する遮蔽板ＰＬについて説明する。
遮蔽板ＰＬは、図１３に示すように、Ｔ字状に形成された板体の一部を折り曲げて構成される。この遮蔽板ＰＬは、平面視略長方形状の本体部ＰＬ１と、当該本体部ＰＬ１における一端側に位置し、当該本体部ＰＬ１の短手方向に沿って本体部ＰＬ１の外側に向かって突出する軸部ＰＬ２と、本体部ＰＬ１における他端側に位置する折曲部ＰＬ３と、を有する。
軸部ＰＬ２は、開口部７３１１，７４１１の端縁に回動可能に支持される部位であり、本体部ＰＬ１の一端側にて互いに反対方向に延出している。
折曲部ＰＬ３は、例えばヘミング加工（タイトヘミング加工）等によって上記板体が折り曲げられた部分である。この折曲部ＰＬ３は、本体部ＰＬ１において軸部ＰＬ２側より折曲部ＰＬ３側を重くすることによって遮蔽板ＰＬの重心を当該折曲部ＰＬ３側に偏らせ、これにより、上記プロジェクター１の姿勢変化（すなわち、光源装置５の姿勢変化）に応じて遮蔽板ＰＬを回動させやすくするための部位である。このため、折曲部ＰＬ３に代えて錘を設けたり、本体部ＰＬ１における軸部ＰＬ２側とは反対側の端部を大きく又は厚く形成したりすることにより、遮蔽板ＰＬの重心を軸部ＰＬ２側とは反対側に偏らせてもよい。
【００５３】
［第１導風部の送出部の構成］
図１４は、第１導風部７３の送出部７３１を示す斜視図である。また、図１５は、送出部７３１のＸＹ平面に沿う断面を−Ｚ方向側から見た図であり、図１６は、送出部７３１におけるＹＺ平面に沿う断面を示す図であり、換言すると、当該送出部７３１を流通する冷却気体の流路を示す図である。
第１導風部７３の送出部７３１は、図１４〜図１６に示すように、上記開口部７３１１の他、当該開口部７３１１の一部が位置する凹部７３１２を有する。
凹部７３１２は、第１導風部７３を構成する内面部のうち＋Ｚ方向側の内面部７３Ｃに、当該＋Ｚ方向側に凹むように形成されている。この凹部７３１２は、ＸＹ平面に沿い、かつ、開口部７３１１の＋Ｚ方向側の端縁を形成する壁部７３１３と、ＹＺ平面に沿い、かつ、開口部７３１１の＋Ｘ方向側の端縁を形成する壁部７３１４と、ＹＺ平面に沿い、かつ、開口部７３１１の−Ｘ方向側の端縁を形成する壁部７３１５と、により構成される。なお、壁部７３１３は、換言すると＋Ｚ方向に直交する壁部であり、壁部７３１４，７３１５は、発光管５１の中心軸を中心とする周方向に直交する壁部である。
このような凹部７３１２に一部が位置する開口部７３１１は、第１導風部７３を流通する冷却気体の中心軸に対して中心が＋Ｚ方向側にずれている。すなわち、開口部７３１１は、第１導風部７３と凹部７３１２とに跨って配置されている。
【００５４】
各壁部７３１３〜７３１５は、開口部７３１１の端縁から−Ｙ方向側に更に延出しており、これら壁部７３１３〜７３１５は、ＸＺ平面に沿う壁部７３１６、すなわち、開口部７３１１の開口面と対向する壁部７３１６と接続される。この壁部７３１６には、開口部７３１１の端縁に支持された２つの遮蔽板ＰＬのうち、−Ｘ方向側に位置する遮蔽板ＰＬの折曲部ＰＬ３側の端部が当接して、当該遮蔽板ＰＬの更なる回動を規制する規制部７３１７（図１４及び図１５）が突設されている。
この壁部７３１６は、開口部７３１１における−Ｚ方向側の端縁に応じた位置から更に−Ｚ方向に延出している。換言すると、壁部７３１６は、開口部７３１１に応じた位置で、かつ、内面部７３Ｂより内側（発光管５１側）に位置している。そして、これら壁部７３１６，７３１４，７３１５と、開口部７３１１が形成された内面部７３Ｂとにより端縁が形成される開口部７３１８が、−Ｚ方向側に開口している。
【００５５】
開口部７３１８は、上記開口部７３１１とともに、第１導風部７３内の空間と、発光管５１が配置される収容体６内の空間とを連通させる。そして、当該開口部７３１８は、開口部７３１１が開放された際に、当該開口部７３１１を通過した冷却気体を発光管５１（発光部５１１）に向けて送出する。
すなわち、送出部７３１は、−Ｘ方向側から見て、第１導風部７３を流通した冷却気体が流通する略横向きのＵ字状（すなわち略Ｃ字状）にダクトを構成している。なお、開口部７３１１を通過した冷却気体が開口部７３１８から送出される流路だけを見た場合には、送出部７３１は、−Ｘ方向側から見て略Ｌ字状のダクトを構成する。
【００５６】
［第１導風部の送出部における冷却気体の流路］
以下、送出部７３１を介して発光管５１に送出される冷却気体の流路を説明する。
＋Ｘ方向に沿って第１導風部７３内を流通して送出部７３１に導かれた冷却気体は、図１６に矢印Ａ６によって示すように、弁Ｖ２によって、＋Ｘ方向側から＋Ｚ方向側（壁部７３１３側）に流通方向が変更される。そして、当該冷却気体は、各壁部７３１３〜７３１５に沿って−Ｙ方向側に流通して、開口部７３１１を通過する。
開口部７３１１を通過した冷却気体は、当該開口部７３１１の開口面に対して−Ｙ方向側（発光管５１側）に位置する壁部７３１６に当たり、流通方向が−Ｚ方向側に変更される。そして、この冷却気体は、当該壁部７３１６に沿って−Ｚ方向側に流通して、上記開口部７３１８を介して、鉛直方向上側から発光管５１（特に発光部５１１）に流通する。
【００５７】
このように、送出部７３１を通過する冷却気体が、−Ｘ方向側から見て横向きの略Ｕ字状に流通することにより、当該冷却気体を拡散させずに発光部５１１に向けて流通させることができ、当該発光部５１１に鉛直方向上側から冷却気体を精度よく流通させることができる。従って、鉛直方向における発光部５１１の上部が効率よく冷却される。
詳述すると、開口部７３１１と発光部５１１とは、＋Ｚ方向に互いに離間していることから、開口部７３１１から発光部５１１に向けて冷却気体を送出すると、当該冷却気体が拡散されやすくなる。これに対し、第１導風部７３内を＋Ｘ方向に沿って流通する冷却気体を、弁Ｖ２によって一旦＋Ｚ方向側に導いて開口部７３１１を通過させた後、壁部７３１６によって−Ｚ方向側に冷却気体を導くことにより、当該冷却気体が揃えられた状態で発光部５１１に送出される。これにより、当該冷却気体を発光部５１１に精度よく流通させることができ、発光部５１１の上部が効率よく冷却される。
なお、他の送出部７３２，７４１，７４２においては、開口部７３２１，７４２１，７４２２は、発光管５１の中心軸を中心とする周方向に沿ってダクト部７（第１導風部７３又は第２導風部７４）内を流通する冷却気体の中心軸に対して中心はずれていないものの、上記送出部７３１と同様に略Ｌ字状のダクトとして構成されている。これにより、送出部７３１での場合と同様に、冷却気体が、送出部７３２，７４１，７４２から発光部５１１に送出される。
【００５８】
［プロジェクターが有する効果］
以上説明した本実施形態に係るプロジェクター１によれば、以下の効果がある。
第１送出部としての送出部７３１を開閉する弁Ｖ３、及び、第３送出部としての送出部７４１を開閉する弁Ｖ５は、第１導風部７３を開閉する弁Ｖ２、及び、第２導風部７４を開閉する弁Ｖ４とは異なる弁である。このことから、１つの弁により、第１導風部７３及び送出部７３１を開閉し、他の１つの弁により、第２導風部７４及び送出部７４１を開閉する構成に比べて、第１導風部７３及び送出部７３１のそれぞれの開閉、並びに、第２導風部７４及び送出部７４１のそれぞれの開閉を確実に行うことができる。このため、第１導風部７３及び第２導風部７４を流通する冷却気体の風圧によって、これら導風部７３，７４を閉塞する弁Ｖ２，Ｖ４が動いて、これら導風部７３，７４を部分的に開放してしまうことを抑制できる他、送出部７３１，７４１が閉塞される場合にこれら送出部７３１，７４１が部分的に開放されてしまうことを抑制できる。従って、発光管５１に対して鉛直方向上側に位置する送出部に確実に冷却気体を導くことができる他、導入口７１から導入された冷却気体の損失を抑制できる。そして、これにより、送出部７３１或いは送出部７４１を介して、冷却気体を発光管５１（発光部５１１）における鉛直方向上部に送出しやすくすることができるので、光源装置５を効率よく冷却できる。
【００５９】
上記のように、発光管５１の中心軸は＋Ｚ方向に沿い、＋Ｘ方向（第１方向）及び＋Ｙ方向（第２方向）は、当該＋Ｚ方向に直交し、かつ、互いに直交する２方向である。そして、第１送出部としての送出部７３１は、発光管５１に対して＋Ｙ方向側に位置し、第２送出部としての送出部７３２は、発光管５１に対して＋Ｘ方向側に位置し、第３送出部としての送出部７４１は、発光管５１に対して−Ｘ方向側に位置し、第４送出部としての送出部７４２は、発光管５１に対して−Ｙ方向側に位置する。
これによれば、上記４つの姿勢のうち、プロジェクター１がどの姿勢にて設置される場合でも、光源装置５から出射される光の進行方向（＋Ｚ方向）及び発光管５１の中心軸（＋Ｚ方向に沿う軸）は、水平方向に沿うので、４つの送出部７３１，７３２，７４１，７４２のうちのいずれかが、当該発光管５１に対して鉛直方向上側に位置することとなる。そして、弁Ｖ１，Ｖ２，Ｖ４によって、発光管５１に対して鉛直方向上側に位置する送出部に冷却気体が導かれ、弁Ｖ３，Ｖ５が送出部７３１，７４１を開閉することにより、冷却気体は、発光管５１に対して鉛直方向上側から送出される。このため、上記４つの姿勢のうち、いずれかの姿勢にてプロジェクター１が設置された場合でも、発光管５１に対して、冷却気体を鉛直方向上側から流通させることができる。従って、発光管５１、ひいては、発光部５１１を効率よく冷却できる。また、これにより、発光管５１の長寿命化を図ることができ、光源装置５の交換等のメンテナンスの手間を省くことができる。
【００６０】
各送出部７３１，７３２，７４１，７４２は、それぞれ、流通された冷却気体を発光管５１の発光部５１１に向けて送出する。これによれば、送出部７３１，７３２，７４１，７４２のそれぞれは、上記各姿勢にて発光管５１に対して鉛直方向上側に位置することから、当該送出部から送出された冷却気体は、発光部５１１の鉛直方向における上部（発光部５１１における鉛直方向上部）に送出されるので、発光管５１において最も高温となる発光部５１１の当該上部を効果的に冷却できる。従って、発光管５１の劣化を確実に抑制でき、当該発光管５１の長寿命化を図ることができる。
【００６１】
弁Ｖ２，Ｖ４は、自重によって回動する遮蔽板であり、ダクト部７は、第１導風部７３を開放する際に弁Ｖ２が配置される第１凹部としての凹部７３３と、第２導風部７４を開放する際に弁Ｖ４が配置される第２凹部としての凹部７４３と、を有する。これによれば、第１導風部７３内において冷却気体が流通する流路面積が弁Ｖ２によって減少することを抑制できる他、当該冷却気体が弁Ｖ２に当たることによる冷却気体の圧力損失の発生を抑制できる。弁Ｖ４が配置される凹部７４３によっても、同様の効果が得られる。
【００６２】
弁Ｖ３は、送出部７３１において冷却気体が通過する第１開口部としての開口部７３１１に位置し、弁Ｖ５は、送出部７４１において冷却気体が通過する第２開口部としての開口部７４１１に位置する。これによれば、これら送出部７３１，７４１を、光源装置５の姿勢に応じて確実に開閉できる。
【００６３】
プロジェクター１は、正置き姿勢（第１姿勢）、逆置き姿勢（第２姿勢）、上側投射姿勢（第３姿勢）及び下側投射姿勢（第４姿勢）のそれぞれの姿勢で設置可能に構成されている。そして、上記のように、各姿勢において発光管５１の中心軸は水平方向に沿うので、上記送出部７３１，７４２，７４１，７３２は、それぞれ、正置き姿勢時、逆置き姿勢時、上側投射姿勢時及び下側投射姿勢時に、発光管５１に対して鉛直方向上側に位置することとなり、当該発光管５１の発光部５１１に鉛直方向上側から冷却気体を送出する。これによれば、プロジェクター１の姿勢に応じて、各送出部７３１，７４２，７４１，７３２のうち、発光管５１に対して鉛直方向上側に位置する送出部から、当該発光管５１に冷却気体を確実に送出できる。従って、各姿勢において、発光管５１の発光部５１１上部を効率よく冷却できる。
【００６４】
［実施形態の変形］
本発明は、上記実施形態に限定されるものではなく、本発明の目的を達成できる範囲での変形、改良等は本発明に含まれるものである。
上記実施形態では、送出部７３２は、発光管５１に対して＋Ｘ方向側で、かつ、＋Ｙ方向側にずれて配置されていた。しかしながら、本発明はこれに限らず、送出部７３２は、発光管５１の中心を通り、かつ、＋Ｘ方向に沿う仮想線上に配置されていてもよい。一方で、各送出部７３１，７４１，７４２は、発光管５１の中心を通り、かつ、＋Ｙ方向、−Ｘ方向及び−Ｙ方向に沿う仮想線上に配置されていなくてもよく、対応する仮想線からずれていてもよい。すなわち、各送出部７３１，７３２，７４１，７４２が、発光管５１に対して＋Ｙ方向、＋Ｘ方向、−Ｘ方向及び−Ｙ方向の各方向側に位置していればよい。
【００６５】
上記実施形態では、第１送出部としての送出部７３１、第２送出部としての送出部７３２、第４送出部としての送出部７４１、及び、第３送出部としての送出部７４２は、発光管５１の発光部５１１に向けて冷却気体を送出するとした。しかしながら、本発明はこれに限らない。例えば、各送出部７３１，７３２，７４１，７４２は、主反射鏡５２の反射面の内側に向けて冷却気体を送出し、当該冷却気体が反射面に沿って流通することによって、発光部５１１に流通する構成としてもよい。すなわち、送出された冷却気体の少なくとも一部が発光部５１１に流通すればよく、各送出部７３１，７３２，７４１，７４２による冷却気体の送出方向は、当該各送出部７３１，７３２，７４１，７４２から発光部５１１に向かう方向に限定されない。
【００６６】
上記実施形態では、それぞれ第１〜第５弁としての弁Ｖ１〜Ｖ５は、自重によって回動して、第１導風部７３及び第２導風部７４のいずれか、或いは、送出部７３１，７４１のいずれかの開閉を行う遮蔽板により構成されるとした。しかしながら、本発明はこれに限らない。すなわち、各弁は、自重によって移動する構成に限らず、例えば、プロジェクター１における鉛直方向の向きを検出し、当該向きの検出結果に基づいて、制御装置による制御の下、第１導風部７３、第２導風部７４及び送出部７３１，７４１の開閉が実施される構成であってもよい。また、弁Ｖ１〜Ｖ５は遮蔽板に限らず、他の形状を有していてもよい。
【００６７】
上記実施形態では、ダクト部７は、第２弁としての弁Ｖ２が配置される凹部７３３、及び、第４弁としての弁Ｖ４が配置される凹部７４３を有するとした。しかしながら、本発明はこれに限らない。すなわち、このような凹部７３３，７４３は無くてもよい。
上記実施形態では、第３弁としての弁Ｖ３を構成する遮蔽板ＰＬは、送出部７３１における開口部７３１１を開閉するとし、第５弁としての弁Ｖ５を構成する遮蔽板ＰＬは、送出部７４１における開口部７４１１を開閉するとした。しかしながら、本発明はこれに限らない。すなわち、各送出部７３１，７４１を閉塞できれば、弁Ｖ３，Ｖ５の設置位置はどこでもよい。また、弁Ｖ３，Ｖ５は、完全に冷却気体の流通を遮蔽しなくてもよく、送出部７３１，７４１の閉塞時に、冷却気体が当該送出部７３１，７４１に流入しづらくなればよい。
【００６８】
上記実施形態では、画像投射装置４は、複数のレンズ４４１と、当該複数のレンズ４４１を介した光を反射させる非球面ミラー４４２と、これらを内部に収容する保持体４４３と、を有する投射光学装置４４を備える構成とした。すなわち、投射光学装置４４は、入射される光の進行方向を折り返して出射する構成であった。しかしながら、本発明はこれに限らない。例えば、非球面ミラー４４２がなく、入射された光を、当該光の入射方向に沿って出射する投射光学装置４４を採用してもよい。
【００６９】
上記実施形態では、光源装置５から出射される光の進行方向（＋Ｚ方向）と、投射光学装置４４による画像の投射方向（−Ｘ方向）とは直交し、正置き姿勢、逆置き姿勢、上側投射姿勢及び下側投射姿勢のいずれの姿勢にてプロジェクター１が設置された場合でも、当該進行方向は水平方向に沿うとした。しかしながら、これに限らず、例えば、当該進行方向と画像の投射方向とが同方向、又は、互いに反対方向となるように、光源装置５が配置されてもよい。この場合、正置き姿勢及び逆置き姿勢の他、左右の側面部２３，２４のうち一方が鉛直方向上側を向く姿勢のいずれの姿勢にてプロジェクターが設置された場合でも、上記送出部７３１，７３２，７４１，７４２のいずれかが発光管５１（発光部５１１）に対して鉛直方向上側に位置することとなるので、上記と同様の効果を奏することができる。
【００７０】
上記実施形態では、プロジェクター１は、３つの光変調装置４３３（４３３Ｒ，４３３Ｇ，４３３Ｂ）を備える構成とした。しかしながら、本発明はこれに限らない。例えば、２つ以下、あるいは、４つ以上の光変調装置４３３を有するプロジェクターにも、本発明を適用可能である。
上記実施形態では、画像投射装置４は、平面視略Ｌ字形状を有した構成を説明したが、これに限らず、例えば、平面視略Ｕ字形状を有した構成を採用してもよい。
上記実施形態では、光変調装置４３３として、光入射面と光出射面とが異なる透過型の液晶パネルが採用された。しかしながら、透過型の液晶パネルに代えて、光入射面と光出射面とが同一となる反射型の液晶パネルを用いてもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【００７１】
上記実施形態では、光源装置５は、発光管５１、主反射鏡５２、平行化レンズ５３及び収容体６を備える構成とした。このような光源装置５は、プロジェクターに複数採用されていてもよい。また、主反射鏡５２や副反射鏡５１４は無くてもよい。
上記実施形態では、本発明の光源装置をプロジェクターに適用した例を挙げた。しかしながら、本発明はこれに限らない。例えば、上記光源装置を、光の照射範位置を移動可能なスポットライト等の照明装置に適用してもよい。
【符号の説明】
【００７２】
１…プロジェクター、２…外装筐体、２２…底面部、４３３（４３３Ｂ，４３３Ｇ，４３３Ｒ）…光変調装置、４４…投射光学装置、５…光源装置、５１…発光管、５１１…発光部、６…収容体、６１…天面部、６２…底面部、６３…左側面部、６３１…排出口、６４…右側面部、６６１…開口部、６Ａ…第１筐体、６Ａ１…内壁部、６Ｃ…ダクト形成部材、６Ｄ…遮光部材、６Ｄ１…開口部、７…ダクト部、７１…導入口、７２…分岐部、７３…第１導風部、７３１…送出部（第１送出部）、７３１１…開口部（第１開口部）、７３２…送出部（第２送出部）、７３２１…開口部、７３３…凹部（第１凹部）、７３Ａ，７３Ｂ…内面部、７４…第２導風部、７４１…送出部（第３送出部）、７４１１…開口部（第２開口部）、７４２…送出部（第４送出部）、７４２１…開口部、７４３…凹部（第２凹部）、Ａ１，Ａ５…矢印、Ｖ１…弁（第１弁）、Ｖ２…弁（第２弁）、Ｖ３…弁（第３弁）、Ｖ４…弁（第４弁）、Ｖ５…弁（第５弁）、ＰＬ…遮蔽板、Ｓ…空間。
【図１】
2017187621.tif 000003
【図２】
2017187621.tif 000004
【図３】
2017187621.tif 000005
【図４】
2017187621.tif 000006
【図５】
2017187621.tif 000007
【図６】
2017187621.tif 000008
【図７】
2017187621.tif 000009
【図８】
2017187621.tif 000010
【図９】
2017187621.tif 000011
【図１０】
2017187621.tif 000012
【図１１】
2017187621.tif 000013
【図１２】
2017187621.tif 000014
【図１３】
2017187621.tif 000015
【図１４】
2017187621.tif 000016
【図１５】
2017187621.tif 000017
【図１６】
2017187621.tif 000018